(57)【要約】【課題】２枚以上のパネルを有する表示装置において、２重像弊害による画像の表示品質低下を防止しながら、画像に合成する合成成分の解像度低下を防止する。【解決手段】本発明の表示装置は、発光手段と、前記発光手段から照射された光を透過する第１パネルと、前記第１パネルを透過した光を透過して画面に画像を表示する第２パネルと、前記第１パネルおよび前記第２パネルそれぞれの透過率を制御する制御手段と、を備え、前記制御手段は、入力画像信号に基づいて前記第１パネルを制御するために用いる第１パネル信号と前記第２パネルを制御するために用いる第２パネル信号とを生成し、前記第１パネル信号に対して高周波成分を抑制する第１のフィルタ処理を施した第１の制御信号に基づいて前記第１パネルを制御し、前記入力画像信号の高周波成分に対応する前記第２パネル信号の領域に所定の画像処理を施した第２の制御信号に基づいて前記第２パネルを制御する。【選択図】図１
2019148777.tif 000002
【特許請求の範囲】
【請求項１】
発光手段と、
前記発光手段から照射された光を透過する第１パネルと、
前記第１パネルを透過した光を透過して画面に画像を表示する第２パネルと、
前記第１パネルおよび前記第２パネルそれぞれの透過率を制御する制御手段と、
を備え、
前記制御手段は、
入力画像信号に基づいて、前記第１パネルを制御するために用いる第１パネル信号と、前記第２パネルを制御するために用いる第２パネル信号とを生成し、
前記第１パネル信号に対して高周波成分を抑制する第１のフィルタ処理を施した第１の制御信号に基づいて前記第１パネルを制御し、
前記入力画像信号の高周波成分に対応する前記第２パネル信号の領域に所定の画像処理を施した第２の制御信号に基づいて前記第２パネルを制御する、
ことを特徴とする表示装置。
【請求項２】
前記所定の画像処理は、前記入力画像信号の高周波成分に対応する領域において前記第２パネル信号の値を高める処理である、
ことを特徴とする請求項１に記載の表示装置。
【請求項３】
前記制御手段は、前記入力画像信号に高周波成分を強調する第２のフィルタ処理を施した処理信号と前記第２パネル信号とを合成して、前記第２の制御信号を生成する、
ことを特徴とする請求項１または請求項２に記載の表示装置。
【請求項４】
前記制御手段は、前記第１の制御信号に前記処理信号を合成した合成信号に基づいて、前記第１パネルを制御する、
ことを特徴とする請求項３に記載の表示装置。
【請求項５】
前記制御手段は、前記第１パネル信号の強度および前記第２パネル信号の強度の比率に応じて、前記第１の制御信号に合成する前記処理信号の強度および前記第２パネル信号に合成する前記処理信号の強度を決定する、
ことを特徴とする請求項３または４に記載の表示装置。
【請求項６】
前記制御手段は、前記入力画像信号の輝度が低いほど、前記第２のフィルタ処理のフィルタ強度を高くする、
ことを特徴とする請求項３から５のいずれか１項に記載の表示装置。
【請求項７】
前記入力画像信号の高周波成分を強調して画像を表示する第１表示モードと、前記入力画像信号の高周波成分を前記第１表示モードよりも強調しない画像を表示する第２表示モードとを選択するための選択手段をさらに備え、
前記制御手段は、
前記第１表示モードが選択された場合、前記第１の制御信号に基づいて前記第１パネルを制御し、前記第２の制御信号に基づいて前記第２パネルを制御し、
前記第２表示モードが選択された場合、前記第１の制御信号に基づいて前記第１パネルを制御し、前記所定の画像処理を施さない前記第２パネル信号に基づいて前記第２パネルを制御する、
ことを特徴とする請求項３から６のいずれか１項に記載の表示装置。
【請求項８】
発光手段と、
前記発光手段から照射された光を透過する第１パネルと、
前記第１パネルを透過した光を透過して画面に画像を表示する第２パネルと、
前記第１パネルおよび前記第２パネルそれぞれの透過率を制御する制御手段と、
を備え、
前記制御手段は、
入力画像信号に対して高周波成分を強調する所定の画像処理を施した処理信号を生成し、
前記処理信号に基づいて、前記第１パネルを制御するために用いる第１パネル信号と、前記第２パネルを制御するために用いる第２パネル信号とを生成し、
高周波成分を抑制する第１のフィルタ処理のフィルタ強度を画素ごとに決定し、
前記第１パネル信号に対して前記第１のフィルタ処理を施した第１の制御信号で前記第１パネルを制御し、
前記第２パネル信号に基づく第２の制御信号で前記第２パネルを制御する、
ことを特徴とする表示装置。
【請求項９】
前記制御手段は、前記処理信号において画素値が第１閾値以上である画素に対応する前記第１パネル信号の画素に対して、前記第１のフィルタ処理を行わない、
ことを特徴とする請求項８に記載の表示装置。
【請求項１０】
前記制御手段は、前記処理信号において前記所定の画像処理が施された画素の幅に関する値が大きいほど、前記第１のフィルタ処理のフィルタ強度を高くする、
ことを特徴とする請求項８に記載の表示装置。
【請求項１１】
前記処理信号は、前記入力画像信号に高周波成分を強調する第２のフィルタ処理を施した処理信号であって、
前記制御手段は、前記第２のフィルタ処理のフィルタ係数に基づいて周波数特性を求め、周波数が小さいほど、前記第１のフィルタ処理のフィルタ強度を高くする、
ことを特徴とする請求項８に記載の表示装置。
【請求項１２】
前記入力画像信号の高周波成分を強調して画像を表示する第１表示モードと、前記入力画像信号の高周波成分を前記第１表示モードよりも強調しない画像を表示する第２表示モードとを選択するための選択手段をさらに備え、
前記制御手段は、
前記第１表示モードが選択された場合、前記処理信号を生成し、前記第１の制御信号で前記第１パネルを制御し、前記第２パネル信号に基づく第２の制御信号で前記第２パネルを制御し、
前記第２表示モードが選択された場合、前記所定の画像処理が施されない前記入力画像信号に基づいて、第３パネル信号と第４パネル信号とを生成し、前記第３パネル信号に対して高周波成分を抑制する処理を施した第３制御信号で前記第１パネルを制御し、前記第４パネル信号で前記第２パネルを制御する、
ことを特徴とする請求項８から１１のいずれか１項に記載の表示装置。
【請求項１３】
前記処理信号は、撮影時のフォーカスを合わせる際に使用する画像輪郭に合成するための画像信号である、
ことを特徴とする請求項３から１２のいずれか１項に記載の表示装置。
【請求項１４】
前記第１パネル信号と前記第２パネル信号は同一である、
ことを特徴とする請求項１から１３のいずれか１項に記載の表示装置。
【請求項１５】
前記制御手段は、前記第１パネルと前記第２パネルの階調特性に応じて、前記第１パネル信号と前記第２パネル信号とを生成する、
ことを特徴とする請求項１から１４のいずれか１項に記載の表示装置。
【請求項１６】
発光手段と、
前記発光手段から照射された光を透過する第１パネルと、
前記第１パネルを透過した光を透過して画面に画像を表示する第２パネルと、
を備える表示装置の表示制御方法であって、
入力画像信号を取得する取得ステップと、
前記第１パネルおよび前記第２パネルそれぞれの透過率を制御する制御ステップと、
を含み、
前記制御ステップでは、
入力画像信号に基づいて、前記第１パネルを制御するために用いる第１パネル信号と、前記第２パネルを制御するために用いる第２パネル信号とを生成し、
前記第１パネル信号に対して高周波成分を抑制する第１のフィルタ処理を施した第１の制御信号に基づいて前記第１パネルを制御し、
前記入力画像信号の高周波成分に対応する前記第２パネル信号の領域に所定の画像処理を施した第２の制御信号に基づいて前記第２パネルを制御する、
ことを特徴とする表示装置の制御方法。
【請求項１７】
発光手段と、
前記発光手段から照射された光を透過する第１パネルと、
前記第１パネルを透過した光を透過して画面に画像を表示する第２パネルと、
を備える表示装置の表示制御方法であって、
入力画像信号を取得する取得ステップと、
前記第１パネルおよび前記第２パネルそれぞれの透過率を制御する制御ステップと、
を含み、
前記制御ステップでは、
前記入力画像信号に対して高周波成分を強調する所定の画像処理を施した処理信号を生成し、
前記処理信号に基づいて、前記第１パネルを制御するために用いる第１パネル信号と、前記第２パネルを制御するために用いる第２パネル信号とを生成し、
高周波成分を抑制する第１のフィルタ処理のフィルタ強度を画素ごとに決定し、
前記第１パネル信号に対して前記第１のフィルタ処理を施した第１の制御信号で前記第１パネルを制御し、
前記第２パネル信号に基づく第２の制御信号で前記第２パネルを制御する、
ことを特徴とする表示装置の制御方法。
【請求項１８】
請求項１６または１７に記載の方法の各ステップをコンピュータに実行させるためのプログラム。
【請求項１９】
請求項１８に記載のプログラムを記憶するコンピュータが読み取り可能な記憶媒体。
【発明の詳細な説明】
【技術分野】
【０００１】
本発明は、表示装置、表示装置の制御方法、プログラムおよび記憶媒体に関する。
【背景技術】
【０００２】
現在、高コントラストを実現する技術として、２枚の液晶パネルを重ね合わせた液晶表示装置が用いられている。この液晶表示装置は、バックライト、背面パネルおよび前面パネルによって構成され、背面パネルはバックライトからの照射された光を変調し、前面パネルは背面パネルによって変調された光を受け変調することで、コントラストの高い画像を表示する。
【０００３】
ここで、上記の液晶表示装置では、背面パネルと前面パネルの変調は、入力される画像信号に基づいて決定される。このため、背面パネルと前面パネルの画素数（解像度）が同等であり、且つ画像信号そのものもしくは、輝度信号をそのまま表示する場合には、液晶パネル同士の画素のズレに起因して、画像が２重に見える現象である２重像弊害が発生する。
【０００４】
特許文献１には、背面パネルに入力される画像信号にフィルタ処理を行うことで２重像弊害を低減する技術が開示されている。
【先行技術文献】
【特許文献】
【０００５】
【特許文献１】国際公開第２００７／０４０１２７号
【発明の概要】
【発明が解決しようとする課題】
【０００６】
ところで、表示装置で情報表示を行う際、表示画像に情報が重畳される場合がある。例えば、撮像装置から入力される画像信号の輪郭成分を着色して表示し、撮影時のフォーカス合わせのアシストを行う機能（以下、ピーキングと称する。）がある。
【０００７】
しかしながら、ピーキングは高周波帯域成分を着色（合成）するため細い合成成分が画像の輪郭に合成されるため、特許文献１のフィルタ処理を適用すると、細い合成成分の解像度低下（ぼやけ）が生じ、撮影時のフォーカス合わせが困難になる問題が発生する。
【０００８】
そこで、本発明では、２枚以上のパネルを有する表示装置において、２重像弊害による画像の表示品質低下を防止しながら、画像に合成する合成成分の解像度低下を防止する技術を提供することを目的とする。
【課題を解決するための手段】
【０００９】
本発明の第一の態様は、
発光手段と、
前記発光手段から照射された光を透過する第１パネルと、
前記第１パネルを透過した光を透過して画面に画像を表示する第２パネルと、
前記第１パネルおよび前記第２パネルそれぞれの透過率を制御する制御手段と、
を備え、
前記制御手段は、
入力画像信号に基づいて、前記第１パネルを制御するために用いる第１パネル信号と、前記第２パネルを制御するために用いる第２パネル信号とを生成し、
前記第１パネル信号に対して高周波成分を抑制する第１のフィルタ処理を施した第１の制御信号に基づいて前記第１パネルを制御し、
前記入力画像信号の高周波成分に対応する前記第２パネル信号の領域に所定の画像処理を施した第２の制御信号に基づいて前記第２パネルを制御する、
ことを特徴とする表示装置である。
【００１０】
本発明の第二の態様は、
発光手段と、
前記発光手段から照射された光を透過する第１パネルと、
前記第１パネルを透過した光を透過して画面に画像を表示する第２パネルと、
前記第１パネルおよび前記第２パネルそれぞれの透過率を制御する制御手段と、
を備え、
前記制御手段は、
入力画像信号に対して高周波成分を強調する所定の画像処理を施した処理信号を生成し、
前記処理信号に基づいて、前記第１パネルを制御するために用いる第１パネル信号と、前記第２パネルを制御するために用いる第２パネル信号とを生成し、
高周波成分を抑制する第１のフィルタ処理のフィルタ強度を画素ごとに決定し、
前記第１パネル信号に対して前記第１のフィルタ処理を施した第１の制御信号で前記第１パネルを制御し、
前記第２パネル信号に基づく第２の制御信号で前記第２パネルを制御する、
ことを特徴とする表示装置である。
【００１１】
本発明の第三の態様は、
発光手段と、
前記発光手段から照射された光を透過する第１パネルと、
前記第１パネルを透過した光を透過して画面に画像を表示する第２パネルと、
を備える表示装置の表示制御方法であって、
入力画像信号を取得する取得ステップと、
前記第１パネルおよび前記第２パネルそれぞれの透過率を制御する制御ステップと、
を含み、
前記制御ステップでは、
入力画像信号に基づいて、前記第１パネルを制御するために用いる第１パネル信号と、前記第２パネルを制御するために用いる第２パネル信号とを生成し、
前記第１パネル信号に対して高周波成分を抑制する第１のフィルタ処理を施した第１の制御信号に基づいて前記第１パネルを制御し、
前記入力画像信号の高周波成分に対応する前記第２パネル信号の領域に所定の画像処理を施した第２の制御信号に基づいて前記第２パネルを制御する、
ことを特徴とする表示装置の制御方法である。
【００１２】
本発明の第四の態様は、
発光手段と、
前記発光手段から照射された光を透過する第１パネルと、
前記第１パネルを透過した光を透過して画面に画像を表示する第２パネルと、
を備える表示装置の表示制御方法であって、
入力画像信号を取得する取得ステップと、
前記第１パネルおよび前記第２パネルそれぞれの透過率を制御する制御ステップと、
を含み、
前記制御ステップでは、
前記入力画像信号に対して高周波成分を強調する所定の画像処理を施した処理信号を
生成し、
前記処理信号に基づいて、前記第１パネルを制御するために用いる第１パネル信号と、前記第２パネルを制御するために用いる第２パネル信号とを生成し、
高周波成分を抑制する第１のフィルタ処理のフィルタ強度を画素ごとに決定し、
前記第１パネル信号に対して前記第１のフィルタ処理を施した第１の制御信号で前記第１パネルを制御し、
前記第２パネル信号に基づく第２の制御信号で前記第２パネルを制御する、
ことを特徴とする表示装置の制御方法である。
【００１３】
本発明の第五の態様は、上記方法の各ステップをコンピュータに実行させるためのプログラムである。
【００１４】
本発明の第六の態様は、上記プログラムを記憶するコンピュータが読み取り可能な記憶媒体である。
【発明の効果】
【００１５】
本発明によれば、２枚以上のパネルを有する表示装置において、２重像弊害による画像の表示品質低下を防止しながら、画像に合成する合成成分の解像度低下を防止することができる。
【図面の簡単な説明】
【００１６】
【図１】実施形態１に係る表示装置の一例を示す機能ブロック図
【図２】実施形態１に係る入力画像信号の階調特性を示す図
【図３】実施形態１に係る補正信号の分配の一例を示す図
【図４】実施形態１に係るフィルタ処理における注目画素の一例を示図
【図５】実施形態１に係る視覚画像の一例を示す図
【図６】実施形態２に係る表示装置の一例を示す機能ブロック図
【図７】実施形態２に係る視覚画像の一例を示す図
【図８】実施形態３に係る表示装置の一例を示す機能ブロック図
【図９】実施形態４に係る表示装置の一例を示す機能ブロック図
【図１０】実施形態４に係る線幅検出処理の一例を示す図
【図１１】実施形態４に係るフィルタ強度決定の一例を示す図
【図１２】実施形態４の変形例に係る表示装置の一例を示す機能ブロック図
【図１３】実施形態４の変形例に係るフィルタ強度決定の一例を示す図
【図１４】比較例に係る視覚画像の一例を示す図
【発明を実施するための形態】
【００１７】
［実施形態１］
以下、本発明の実施形態１について説明する。
本実施形態に係る表示装置は、２枚の液晶パネルを有する画像表示装置である。このような表示装置は、２枚の液晶パネルのそれぞれに対して画像表示を行い、それらを重ね合わせることで高コントラストの画像を表示している。また、本実施形態に係る表示装置は、入力画像に対して、入力画像とは異なる画像を重畳表示する。本実施形態では、撮像装置におけるピーキング画像を表示する例について説明する。ピーキングとは、撮像時のフォーカス合わせのアシスト機能であり、画像の特定の輪郭成分を着色（合成）することでフォーカスが合っている箇所をユーザに示す機能である。本実施形態では、２枚の液晶パネルのうちバックライトから遠い方に位置する前面液晶パネルにのみ、上記のピーキング画像を表示する例について説明する。以下、本実施形態に係る表示装置の全体構成、ピーキング処理、合成処理について順に説明する。
【００１８】
＜全体構成＞
図１は、本実施形態に係る表示装置１の一例を示す機能ブロック図である。表示装置１は、バックライト１０、背面液晶パネル１１、前面液晶パネル１２および表示制御装置１００等を有する。表示装置１は、２枚の液晶パネルを重ね合わせることで高コントラストの画像を画面に表示することが可能である。
【００１９】
バックライト１０は、複数の光源を備え、前方に光を照射する発光装置である。例えば、光源は、白色光を発するＬＥＤである。なお、光源は、赤色の光を発する赤色ＬＥＤ、緑色の光を発する緑色ＬＥＤ、および青色の光を発する青色ＬＥＤ、から構成されていてもよい。また、青色ＬＥＤと、入射した青色の光を赤色の光および緑色の光に変換して出力する量子ドット等の波長変換部材を含む部材と、から光源が構成されていてもよい。バックライト１０は、あらかじめ設定された光量の光を、前方に照射する。なお、表示制御装置１００の制御により、照射する光の量を可変としてもよい。
【００２０】
背面液晶パネル１１は、バックライト１０の前方に設けられ、バックライト１０から照射された光を変調する変調部材である。背面液晶パネル１１は、複数の液晶素子を備え、表示制御装置１００から出力された画像信号に応じて、各液晶素子の光の透過率を制御する。即ち、表示制御装置１００によって背面液晶パネル１１における光の変調が制御されるともいえる。なお、背面液晶パネル１１は、特定の波長の光を透過するためのカラーフィルタを有しないことが好ましい。
【００２１】
前面液晶パネル１２は、背面液晶パネル１１の前方に設けられ、バックライト１０から照射され、背面液晶パネル１１で変調された光をさらに変調する変調部材である。前面液晶パネル１２は、複数の液晶素子を備え、表示制御装置１００から出力された画像信号に応じて、各液晶素子の光の透過率を制御する。即ち、表示制御装置１００によって前面液晶パネル１２における光の変調が制御されるともいえる。なお、前面液晶パネル１２は、複数の液晶素子それぞれに対応するカラーフィルタを備える。カラーフィルタは、赤色、緑色、および青色のいずれかの光を透過するフィルタである。また、前面液晶パネル１２の複数の液晶素子と、背面液晶パネル１１の複数の液晶素子は、少なくとも画像を表示する領域において同数（同解像度）であることが好ましい。
【００２２】
表示制御装置１００は、入力画像信号に基づいて、少なくとも、背面液晶パネル１１および前面液晶パネル１２を制御する制御装置である。表示制御装置１００は、入力部１０１、補正部１０２、分配部１０３、合成部１０４、フィルタ処理部１０５、ピーキング処理部１０６、制御部１０７等を有する。以下、表示制御装置１００の各機能部について説明する。
【００２３】
表示制御装置１００は、演算装置（プロセッサ）、メモリ、記憶装置、入出力装置等を含む情報処理装置（コンピュータ）である。記憶装置に格納されたプログラムを表示制御装置１００が実行することで、入力部１０１、補正部１０２、分配部１０３、合成部１０４、フィルタ処理部１０５、ピーキング処理部１０６、制御部１０７等の機能が提供される。これらの機能の一部または全部は、ＡＳＩＣやＦＰＧＡなどの専用の論理回路により実装されてもよい。本実施形態では、表示制御装置１００は、入力画像信号に基づいて、少なくとも、背面液晶パネル１１および前面液晶パネル１２を制御する。以下、表示制御装置１００の各機能部について説明する。
【００２４】
（表示制御装置１００の各機能部）
入力部１０１は、表示制御装置１００に入力される入力画像信号を取得する機能部である。また、入力部１０１は、取得した入力画像信号に、所定の階調特性変換処理（ガンマ変換処理）を施す。例えば、入力画像信号は、ＲＧＢそれぞれの１０ビットの信号で表さ
れたＨＤＲ画像信号である。ＨＤＲ画像信号は、撮像装置等において、輝度範囲に対して画像信号をＬｏｇで関連付けることによって、従来よりも広いダイナミックレンジの画像を表現することが可能な画像信号である。なお、輝度範囲に対する画像信号の関係（ＯＥＴＦ：Ｏｐｔｏ−Ｅｌｅｃｔｒｏｎｉｃ  Ｔｒａｎｓｆｅｒ  Ｆｕｎｃｔｉｏｎ）は、Ｌｏｇに限らない、ＳＴ．２０８４等の規格で規定されたカーブを用いることも可能である。
【００２５】
図２は、入力画像信号の階調特性（ＯＥＴＦ）を示す図である。なお、以降では簡単のために、ＲＧＢのうちＲの信号のみについて説明を行う。なお、Ｇ，Ｂの各信号もＲと同様に処理される。図２の横軸は、輝度を相対値で示したものであり、図２の縦軸は、対応する画像信号（階調値）である。また、輝度の増加分に対する画像信号（階調値）の増加分を、輝度差を感知しづらい明領域であるほど小さくし、暗領域であるほど大きくすることにより、より広いダイナミックレンジ（輝度範囲）を表現することが可能となる。
【００２６】
なお、入力部１０１は、例えば、ＳＤＩ（Ｓｅｒｉａｌ  Ｄｉｇｉｔａｌ  Ｉｎｔｅｒｆａｃｅ）に対応したインターフェースを介して、入力画像信号を取得してもよい。また、入力部１０１は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）に対応したインターフェースを介して、入力画像信号を取得してもよい。また、入力部１０１は、表示装置１内部の不図示の記憶媒体から入力画像信号を読み出してもよい。
【００２７】
また、入力部１０１は、入力画像信号を所定の階調特性を有する画像信号に変換する。入力画像信号の階調特性（例えば、Ｌｏｇ）と、表示装置１の階調特性（ガンマ２．２）とは必ずしも一致しない。したがって、入力画像信号をそのまま表示装置１で表示しても、所望の階調性が得られない場合がある。したがって、入力部１０１は、入力画像信号の階調特性と、表示装置１の階調特性との違いを補正するように、入力画像信号の階調特性を補正する。例えば、入力画像信号の階調特性が、Ｌｏｇであり、表示装置１の階調特性がガンマ２．２である場合、入力部１０１は、入力画像信号に対してＬｏｇの逆関数を適用したのち、ガンマ２．２の逆関数（ガンマ０．４５）を適用する。入力部１０１が変換処理を施した入力画像信号を階調変換信号ＩＤと称する。階調変換信号ＩＤは、ガンマ０．４５の階調特性を有する画像信号である。入力部１０１は、階調変換信号ＩＤを補正部１０２に出力する。
【００２８】
補正部１０２は、後段の背面液晶パネル１１と前面液晶パネル１２を通して画像表示した際の表示色精度を高めるための補正処理を行う機能部である。色精度の基準色規格は、入力画像信号で規定される色基準で決定される。例えば、ＢＴ．２０２０やＤＣＩ−Ｐ３などが色精度の基準色規格として採用される。本実施形態では、補正部１０２は、３次元ルックアップテーブルなどを使用し階調変換信号ＩＤを補正する。具体的には、補正部１０２が、予め用意されたテーブルの補正値を階調変換信号ＩＤに適用させ補正する。そして、補正部１０２は、補正後の信号を後述の分配部１０３およびピーキング処理部１０６へ出力する。なお、補正信号Ｃは、各画素に対して階調値（画素値）が指定された画像信号である。
【００２９】
分配部１０３は、補正信号Ｃを、背面液晶パネル１１に出力するための背面パネル信号Ｓｂと、前面液晶パネル１２に出力するための前面パネル信号Ｓｆとに変換し分配する機能部である。背面パネル信号Ｓｂと前面パネル信号Ｓｆとは、背面液晶パネル１１と前面液晶パネル１２の階調特性に応じて、それぞれ補正信号Ｃから生成された画像信号である。また、分配部１０３は、背面パネル信号Ｓｂを後述するフィルタ処理部１０５へ、前面パネル信号Ｓｆを後述する合成部１０４へ出力する。
【００３０】
図３は、補正信号Ｃ、背面パネル信号Ｓｂおよび前面パネル信号Ｓｆの特性を表す。図３において、横軸は輝度を示し、縦軸は画像信号の画素値を示す。なお、画像信号は、最大値が１となるように規格化している。例えば、画像信号が１０ビット信号である場合、図３の画像信号における１は、１０ビット信号における１０２３に対応する。図３の実線２２は、補正信号Ｃの階調特性を示す。本実施形態では、補正信号Ｃは、階調変換信号ＩＤと同様にガンマ０．４５の特性を持つ。図３の破線２１は、背面パネル信号Ｓｂの階調特性と前面パネル信号Ｓｆの階調特性を示す。背面パネル信号Ｓｂの階調特性と前面パネル信号Ｓｆの階調特性とは、互いを乗算して補正信号Ｃの階調特性となるように設定される。例えば、補正信号Ｃの階調特性の平方根を、背面パネル信号Ｓｂの階調特性と前面パネル信号Ｓｆの階調特性としてもよい。この場合、背面パネル信号Ｓｂの階調特性と前面パネル信号Ｓｆの階調特性とは同じであるから、同一の破線２１で表される。なお、背面パネル信号Ｓｂの階調特性と前面パネル信号Ｓｆの階調特性とは、同一でなくともよい。例えば、各液晶パネルの特性に応じて、互いに異なる階調特性とすることも可能である。
【００３１】
合成部１０４は、分配部１０３から出力された前面パネル信号Ｓｆのうち、入力画像信号の高周波成分に対応する領域を強調する処理を施して、合成画像信号ＰＳｆを生成する機能部である。具体的には、合成部１０４は、分配部１０３から出力された前面パネル信号Ｓｆと後述するピーキング成分信号Ｐとを合成し、合成画像信号ＰＳｆ（制御信号）を生成する。合成部１０４は、生成した合成画像信号ＰＳｆを前面液晶パネル１２へ出力する。合成部１０４の処理の詳細については、後述する。
【００３２】
フィルタ処理部１０５は、背面パネル信号Ｓｂの画素値に対して空間的なローパスフィルタ処理（画素値における高周波成分を抑制するフィルタ処理）を施してフィルタ処理後の画像信号Ｆ（制御信号）を出力する機能部である。ローパスフィルタ処理は、例えば、背面パネル信号Ｓｂの対象画素を中心としたＭ×Ｍの領域（フィルタ領域）に含まれる画素の画素値を平均化した値（平均値）を、フィルタ処理後の画像信号Ｆにおける対象画素の画素値とする処理である。上記のＭは、例えば７である。なお、本実施形態では、Ｍは制御部１０７により、係数設定値Ｍとして入力される。処理部１０６は、各画素を対象画素として、ローパスフィルタ処理を実行してフィルタ処理後の画像信号Ｆを背面液晶パネル１１へ出力する。なお、本実施形態では、フィルタ処理部１０５は、画素値の平均値をフィルタ処理画像信号としたが、平均値に限定されない。例えば、画素値の中間値や、ガウシアンフィルタを用いて注目画素に比重を置いたフィルタ処理（平滑化処理）により得られる値をフィルタ処理画像信号として用いてもよい。本実施形態では、空間方向に対してフィルタ処理を行う例を説明する。
【００３３】
ピーキング処理部１０６は、前面パネル信号Ｓｆに着色合成するピーキング成分信号Ｐ（処理信号）を生成する機能部である。ここで、ピーキングとは、撮影時のフォーカス合わせのアシスト機能である。フォーカスが合うと、画像の輪郭エッジが立ち、画像輪郭部の高周波成分が大きくなる。この特徴より、ピーキング処理部１０６では、まず、高周波成分を抽出し、次に高周波成分に対応する前面パネル信号Ｓｆの領域、すなわち高周波成分が大きい画素について着色する（信号の値を高める）ための成分を生成する。ピーキング処理部１０６の処理の詳細については、後述する。
【００３４】
制御部１０７は、表示制御装置１００の各機能ブロックを制御するプロセッサである。また、制御部１０７は、不図示のメモリから各機能ブロックが用いるパラメータを読出し、各機能ブロックに設定する。本実施形態において、制御部１０７は、各ブロックで使用する係数や閾値等の設定値（パラメータ）を出力する。なお、パラメータは、ハードディスクや磁気テープなどから読み出されてもよい。また、この設定値は予め決定しておいてもよいし、ユーザにより設定させてもよい。
【００３５】
＜処理内容＞
（ピーキング処理）
ピーキング処理部１０６は、補正信号Ｃを入力して、画素毎に前面パネル信号Ｓｆに着色合成するためのピーキング成分信号Ｐを出力する。具体的には、ピーキング処理部１０６は、補正信号Ｃに対して空間方向にハイパスフィルタ処理（画素値における高周波成分を強調するフィルタ処理）を行い、得られる信号のうち所定の閾値以上である信号をピーキング成分信号Ｐとして出力する。
【００３６】
まず、ピーキング処理部１０６は、補正信号Ｃの画像の画素毎に、以下の式（１）を用いてＲＧＢ値を輝度値Ｙに変換する。
【数１】
2019148777.tif 000003
ここで、ＣＲ，ＣＧ，ＣＢは、それぞれ補正信号Ｃの色毎の画素値を示す。
【００３７】
次に、ピーキング処理部１０６は、輝度値Ｙから高周波成分を抽出する。高周波成分は水平・垂直方向のフィルタ（ハイパスフィルタ）処理により抽出される。本実施形態では、空間方向に対してフィルタ処理を行う例を説明する。また、本実施形態では、フィルタ処理に使用する画素幅（サイズ）とハイパスフィルタ（ＨＰＦ）のフィルタ係数ｆＨＰＦは、制御部１０７から出力される。例えば、サイズが５である場合は、フィルタ係数ｆＨＰＦは５つの要素からなり、（−１／１６，−４／１６，１０／１６，−４／１６，−１／１６）等として出力される。この時、フィルタ係数ｆＨＰＦの値は−１から１の範囲の値を取り、全ての値の合計値が０である例について説明する。
【００３８】
まず、ピーキング処理部１０６は、制御部１０７から出力されるフィルタ係数ｆＨＰＦに従って、水平方向のフィルタ処理を行う。ピーキング処理部１０６は、上記の輝度値Ｙに対して、フィルタ係数ｆＨＰＦのサイズが５の場合、図４（Ａ）に示す注目画素を中心に、以下の式（２）を用いて水平フィルタ処理後の画素値Ｖｈ（ｘ，ｙ）を求めることができる。
【数２】
2019148777.tif 000004
ここで、フィルタサイズに応じて上記式（２）のａの値は適宜変更される。
【００３９】
次に、ピーキング処理部１０６は、垂直方向のフィルタ処理を行う。ピーキング処理部１０６は、水平方向のフィルタ処理により算出された画素値Ｖｈに対して、フィルタ係数ｆＨＰＦのサイズが５の場合、図４（Ｂ）に示す注目画素を中心に、以下の式（３）を用いて垂直フィルタ処理後の画素値Ｖｈｖを求めることができる。
【数３】
2019148777.tif 000005
輝度値Ｙの画素毎に式（２），式（３）の演算を行う事で、水平方向と垂直方向のハイパスフィルタ処理後の信号が抽出される。
【００４０】
なお、上述の例では、垂直および水平方向に分けてフィルタ処理を行う例について説明したが、フィルタ係数ｆＨＰＦを２次元で定義して、以下の式（４）を用いてフィルタ処理が行われてもよい。
【数４】
2019148777.tif 000006
【００４１】
最後に、ピーキング処理部１０６は、上述の空間フィルタ処理後の画素値Ｖｈｖに基づいて、ピーキング成分信号Ｐを以下の式（４）を用いて決定する。本実施形態では、画素値Ｖｈｖが所定の閾値以下の画素については、ピーキング成分信号Ｐは０である。
【数５】
2019148777.tif 000007
ここで、Ｔは所定の閾値を示す。以上に示す処理によりピーキング処理が行われる。
【００４２】
（合成処理）
合成部１０４は、前面液晶パネル１２に対して、上述のピーキング成分信号Ｐの大きさに応じて着色を行う。ここでは着色は赤色とする。なお、ピーキング成分信号Ｐが０の画素については着色を行わない。ピーキング成分信号Ｐが０以外の時は、ピーキング成分信号Ｐの大きさにより着色量を決定する。ここで、ピーキング成分信号Ｐの最大値をＰｍａｘとすると、以下の式（６）を用いて画素毎の着色量Ｃｏｌｏｒ（ｘ，ｙ）を決定する。
【数６】
2019148777.tif 000008
【００４３】
なお、上述の例では、合成部１０４は、ピーキング成分信号Ｐの大きさに応じて着色量を決定したが、ピーキング成分信号Ｐが０以外の時は、ピーキング成分信号Ｐの大きさによらず、Ｒ＝１０２３，Ｇ＝０，Ｂ＝０の着色を行ってもよい。また、着色を行う色は、上記に限定されず、緑、青またはその他の色でもよい。
【００４４】
＜本実施形態の作用効果＞
上述のように、背面パネル信号には従来通りフィルタ処理を行うことで２重像弊害による画像の表示品質低下を防止しながら、前面パネル信号にピーキング成分を合成することで画像に合成する合成成分の解像度低下を防止することが可能となる。以下、図１４に示す比較例を用いて、図５に示す本実施形態の作用効果について説明する。
【００４５】
（比較例）
図１４（Ａ）は、入力画像信号にピーキング成分を合成した画像を示す。図１４（Ａ）に示す信号に特許文献１の技術を適用すると、前面液晶パネル１２の表示は図１４（Ｂ）に示すようになり、背面液晶パネル１１の表示はフィルタ処理により図１４（Ｃ）に示すように画像信号とピーキング成分が鈍った表示となる。よって、人が視覚できる画像は、図１４（Ｄ）示すように、ピーキング成分がぼやけてしまう。
【００４６】
（本実施形態の適用例）
図５（Ａ）は、入力画像信号の画像を示す。図５（Ｂ）は、本実施形態に係る合成画像信号ＰＳｆを示しており、前面パネル信号Ｓｆおよびピーキング成分信号Ｐが合成されている。図５（Ｃ）は、フィルタ処理後の画像信号Ｆを示しており、背面パネル信号Ｓｂに対してローパスフィルタ処理が行われている。図５（Ｄ）は、背面液晶パネル１１および前面液晶パネル１２の表示画像を重ねて、ユーザが視覚する画像（視覚画像）を示す。背
面パネル信号Ｓｂのみに対してローパスフィルタ処理を施すことで、２重像弊害を防止しながら、ピーキング成分信号Ｐの解像度を保持することができる。
【００４７】
＜実施形態１の変形例＞
上述の実施形態では、合成部１０４は、ピーキング成分信号Ｐが小さくなると着色量も小さくなる例について説明したが、入力画像信号の輝度値に応じて着色量を調整しても良い。具体的には、入力画像信号の輝度値が低い暗部画像における画像の着色量（輪郭エッジ）は小さくなりピーキング成分信号Ｐは小さくなるため、撮影時のフォーカス合わせ時に着色している部分が視認しづらくなる。そこで、合成部１０４は、前面パネル信号Ｓｆの画素毎に、暗部の着色量を明部の着色量より大きくすることで、暗部における着色部を視認しやすくすることが可能となる。
【００４８】
上述の実施形態では、合成部１０４は、前面パネル信号Ｓｆにピーキング成分信号Ｐを合成する例を示したが、ピーキング成分信号Ｐの強調度合を設定可能としてもよい。例えば、ピーキング成分信号Ｐを強調する第１表示モードと、強調しない第２表示モードが選択可能に設けられてもよい。この場合、第１表示モードでは、合成部１０４は、上述の実施形態と同様に制御を行う。そして、第２表示モードでは、合成部１０４は、第１表示モードよりピーキング成分信号Ｐを強調しないようにするため、上述の着色量を小さくする。なお、第２表示モードでは、表示制御装置１００は、ピーキング成分信号Ｐの合成処理（画像処理）を施さない前面パネル信号Ｓｆに基づいて前面液晶パネルを制御してもよい。
【００４９】
［実施形態２］
本実施形態では、フィルタ処理部１０５によって出力されるフィルタ処理画像信号Ｆに対して、背面液晶パネル１１用のピーキング成分信号Ｐｂを合成した画像信号ＰＦｂを用いて、背面液晶パネル１１の光の透過率を抑制する例について説明する。以下、実施形態１と異なる構成や処理について詳しく説明し、実施形態１と同様の構成や処理については同じ番号を付し説明を省略する。
【００５０】
図６は、本実施形態に係る表示装置２の機能ブロック図を示す。本実施形態に係る表示装置２の表示制御装置２００は、実施形態１の構成に加え、合成部２０８、ピーキング分配部２０９を備える。また、表示装置２は、実施形態１の分配部１０３および合成部１０４に代わり、分配部２０３および合成部２０４を備える。本実施形態では、ピーキング分配部２０９は、ピーキング成分信号Ｐを取得する。そして、ピーキング分配部２０９は、液晶パネルの階調特性に基づいて、各パネル用のピーキング成分信号を出力する。そして、合成部２０８は、フィルタ処理後の画像信号Ｆに対して上記のピーキング成分信号を合成する。
【００５１】
分配部２０３は、上述の分配部１０３の機能に加えて、背面パネル信号Ｓｂと前面パネル信号Ｓｆとに分配する際の分配比率ｒをピーキング分配部２０９へ出力する機能部である。本実施形態では、分配比率ｒは、背面パネル信号Ｓｂと前面パネル信号Ｓｆとの強度の比率である。
【００５２】
ピーキング分配部２０９は、ピーキング成分信号Ｐおよび上記の分配比率ｒを取得して、分配比率ｒに応じてピーキング成分信号Ｐを変換して、前面液晶パネル１２用のピーキング成分信号Ｐｆを合成部１０４へ出力する機能部である。また、ピーキング分配部２０９は、背面液晶パネル１１用のピーキング成分信号Ｐｂを後述する合成部２０８へ出力する。本実施形態では、分配比率ｒは、前面パネル信号Ｓｆと背面パネル信号Ｓｂとの比率と同一である。また、上述と同様、背面液晶パネル１１用のピーキング成分信号Ｐｂの階調特性と前面液晶パネル１２用のピーキング成分信号Ｐｆの階調特性とは、互いを乗算し
てピーキング成分信号Ｐの階調特性となるように設定される。
【００５３】
合成部２０４は、分配部１０３から出力された前面パネル信号Ｓｆと上述の前面パネル用のピーキング成分信号Ｐｆとを合成し、合成画像信号ＰＳｆ（制御信号）を生成する機能部である。図７（Ｂ）は、合成画像信号ＰＳｆを示す。
【００５４】
合成部２０８は、フィルタ処理後の画像信号Ｆと背面液晶パネル１１用のピーキング成分信号Ｐｂとを取得し、合成画像信号ＰＦｂ（制御信号）を生成する機能部である。図７（Ｃ）は、合成画像信号ＰＦｂを示す。
【００５５】
図７（Ｄ）は、背面液晶パネル１１と前面液晶パネル１２との表示画像を重ねて、人が視覚する視覚画像を示す。上述の図１４（Ｄ）に示す比較例と比較して、本実施形態では、ピーキング成分信号にはローパスフィルタ処理を施していないため、画像に合成する合成成分の解像度低下を防止することができる。また、背面パネル信号にはローパスフィルタ処理を施しているため、表示画像における２重像弊害による画像の表示品質低下を抑制している。
【００５６】
［実施形態３］
本実施形態では、入力画像信号にあらかじめピーキング成分信号が合成された合成画像信号ＰＣを分配して各パネル用の制御用の画像信号を生成する例について説明する。また、本実施形態では、表示制御装置は、フィルタ処理部３０５のフィルタ強度をピーキング成分信号Ｐに基づいて制御する。具体的には、表示制御装置は、ピーキング成分信号Ｐを重畳表示する画素に対するローパスフィルタ処理を行わないことで、ピーキング成分に生じるぼやけを抑制する。以下、実施形態１と異なる構成や処理について詳しく説明し、実施形態１と同様の構成や処理については同じ番号を付し説明を省略する。
【００５７】
図８は、本実施形態に係る表示装置３の機能ブロック図を示す。本実施形態に係る表示装置３の表示制御装置３００は、実施形態１の構成に加え、フィルタ強度決定部３１０を備える。また、表示装置３は、実施形態１の分配部１０３および合成部１０４に代わり、分配部３０３および合成部３０４を備える。本実施形態では、実施形態１と異なる点として、合成部３０４は、補正信号Ｃとピーキング成分信号Ｐとを合成する。そして、分配部３０３は、上記の合成信号を背面パネル信号Ｓｂと前面パネル信号Ｓｆとに分配する。また、本実施形態では、フィルタ強度決定部３１０は、フィルタ処理部３０５のフィルタ強度を決定する。
【００５８】
合成部３０４は、補正部１０２より出力された補正信号Ｃとピーキング処理部１０６より出力されたピーキング成分信号Ｐとを合成し、合成画像信号ＰＣを生成する機能部である。生成された合成画像信号ＰＣは、分配部３０３に出力される。
【００５９】
分配部３０３は、合成画像信号ＰＣを、背面液晶パネル１１に出力するための背面パネル信号Ｓｂと、前面液晶パネル１２に出力するための前面パネル信号Ｓｆとに変換し分配する機能部である。
【００６０】
フィルタ強度決定部３１０は、ピーキング成分信号Ｐに応じて、フィルタ強度信号Ｉを生成し、フィルタ処理部３０５へ出力する機能部である。具体的には、フィルタ強度決定部３１０は、画素毎にピーキング成分信号Ｐが０より大きい場合（処理信号において画素値が閾値Ｔｈ１以上である場合）は、ピーキング成分（合成成分）があると判定し、対象画素のフィルタ強度信号Ｉを１をとする。また、フィルタ強度決定部３１０は、ピーキング成分信号Ｐが０の時は、ピーキング成分が無いと判定し、対象画素のフィルタ強度信号Ｉを０とする。
【００６１】
フィルタ処理部３０５は、フィルタ強度信号Ｉに基づいて上述のフィルタ処理を行い、フィルタ処理後の画像信号Ｆを背面液晶パネル１１へ出力する機能部である。具体的には、フィルタ処理部３０５は、フィルタ強度信号Ｉが１の時は、合成成分があると判断し、合成成分の解像度低下を防ぐためにフィルタ処理を行わない。また、フィルタ処理部３０５は、フィルタ強度信号Ｉが０の時は、合成成分が無いと判断し、画像の２重像弊害を低減するためにフィルタ処理を行う。
【００６２】
以上のように、ピーキング成分信号Ｐに基づいて、フィルタ処理を制御することで、入力画像信号に合成するピーキング成分画像Ｐの解像度低下を防止しながら、画像全体として２重像弊害による表示画像の表示品質低下を抑制している。本実施形態に係る表示装置３は、上述の実施形態１のような前面パネル信号Ｓｆと背面パネル信号Ｓｂの各々に画像合成できないシステムにおいて好適に処理することできる。
【００６３】
［実施形態３の変形例］
上述の実施形態では、フィルタ強度決定部３１０は、ピーキング成分信号Ｐに応じてフィルタ処理の有無（フィルタ強度信号Ｉが０または１であるか）を判断したが、ピーキング成分信号Ｐに応じて決定されるローパスフィルタのフィルタ強度は連続値でもよい。例えば、フィルタ強度決定部３１０は、ピーキング成分信号Ｐの値が小さいほど、上記のフィルタ強度を高くしてもよい。この場合、フィルタ処理部３０５は、上記のフィルタ強度に基づいてローパスフィルタ処理を行うことで、ピーキング成分に生じるぼやけを低減させることができる。
【００６４】
上述の実施形態では、合成部３０４は、補正信号Ｃにピーキング成分信号Ｐを合成する例を示したが、ピーキング成分信号Ｐの強調度合を設定可能としてもよい。例えば、ピーキング成分信号Ｐを強調する第１表示モードと、強調しない第２表示モードが選択可能に設けられてもよい。この場合、第１表示モードでは、合成部３０４は、上述の実施形態と同様に制御を行う。そして、第２表示モードでは、合成部３０４は、第１表示モードよりピーキング成分信号Ｐを強調しないようにするため、上述の着色量を小さくする。なお、第２表示モードでは、表示制御装置３００は、ピーキング成分信号Ｐの合成処理（画像処理）を施さない補正信号Ｃに基づいて前面パネル信号Ｓｆと背面パネル信号Ｓｂとを生成してもよい。この場合、表示制御装置３００は、背面パネル信号Ｓｂに対して上述のフィルタ処理を行って得られる画像信号Ｆに基づいて背面液晶パネルを制御し、前面パネル信号Ｓｆに基づいて前面液晶パネルを制御してもよい。
【００６５】
［実施形態４］
本実施形態では、ピーキング成分信号Ｐにおけるピーキング成分を有する画素幅に応じて、ローパスフィルタ処理のフィルタ強度を制御する例について説明する。本実施形態では、ピーキング成分信号Ｐの画素幅が大きい場合、フィルタ処理によるピーキング成分の解像度低下は視認しづらいため、２重像弊害の低減を優先させる。以下、実施形態３と異なる構成や処理について詳しく説明し、実施形態３と同様の構成や処理については同じ番号を付し説明を省略する。
【００６６】
図９は、本実施形態に係る表示装置４の機能ブロック図を示す。本実施形態に係る表示装置４の表示制御装置４００は、実施形態３の構成に加え、線幅検出部４１１を備える。また、表示装置４は、フィルタ強度決定部３１０およびフィルタ処理部３０５に代わり、フィルタ強度決定部４１０およびフィルタ処理部４０５を備える。
【００６７】
線幅検出部４０１は、ピーキング成分信号Ｐを取得して、ピーキング成分信号の画素幅を検出する機能部である。具体的には、線幅検出部４０１は、着色がある画素のうち注目
画素から着色がない画素までの画素数が一番小さいものを画素幅とする。
【００６８】
図１０は、ピーキング成分信号Ｐを示す。図１０の黒色点は注目画素、灰色点はピーキング成分信号の値が０より大きい画素（着色を行う画素）、白色点はピーキング成分信号Ｐの値が０である画素（着色を行わない画素）を示す。ここで、線幅検出部４０１は、注目画素から着色がない画素までの画素数の最小値をピーキング成分信号Ｐの画素幅として検出する。図１０の例では、注目画素から着色がない画素までの画素数の最小値は２（画素）であるため、当該注目画素の画素幅は２として出力される。また、注目画素が着色無し画素の場合は、線幅情報Ｌの最大値を出力する。本実施形態では、最大値を２５５とする。
【００６９】
フィルタ強度決定部４１０は、線幅情報Ｌに応じて、フィルタ強度信号Ｉを生成し、フィルタ処理部４０５へ出力する機能部である。本実施形態では、フィルタ強度決定部４１０は、制御部１０７から取得される所定の閾値Ａおよび所定の閾値Ｂを用いてフィルタ強度を決定する。
【００７０】
図１１は、本実施形態に係るフィルタ強度の決定方法を示す。横軸は線幅情報Ｌ（０〜２５５）を示し、縦軸はフィルタ強度信号Ｉ（０〜１）を示す。ここで、閾値Ａおよび閾値Ｂは、０〜２５５のいずれかの値を取るものとする（０≦閾値Ａ＜閾値Ｂ≦２５５）。
【００７１】
フィルタ強度決定部４１０は、線幅情報Ｌの値が閾値Ａから閾値Ｂの間にある場合は、線幅情報Ｌの値が大きいほど、フィルタ強度を高くする。これは、線幅が大きいほど、着色画素が多くなり、フィルタ処理による画像合成成分の解像度低下は視認しづらいと考えられるためである。また、線幅情報Ｌの値が小さいほど、着色画素が少なくなり、当該画素に対するフォーカスの精度を高くしていることがわかる。この場合、フィルタ処理による画像合成成分の解像度低下を低減したいため、フィルタ強度を低くする。
【００７２】
ここで、フィルタ強度決定部４１０は、線幅情報Ｌの値が０から閾値Ａの間にある（線幅情報Ｌが非常に小さい）場合は、線幅情報Ｌの値が小さいほど、フィルタ強度を高くする。その理由は、着色画素の画素幅が非常に小さくなると、着色画素部の２重像弊害が視認できるようになり、フォーカス合わせが困難なるからである。なお、フィルタ強度決定部４１０は、線幅情報Ｌの値が閾値Ｂ以上の場合は、フィルタ強度信号の値は１とする。なお、フィルタ強度の決定方法は上記に限定されず、例えば、閾値Ａを０として、線幅情報Ｌの値が大きいほど、フィルタ強度を高くしてもよい。また、線幅情報Ｌの値が閾値Ａの場合のフィルタ強度信号Ｉを０としてもよく、線幅情報Ｌの値が閾値Ｂ以上の場合のフィルタ強度信号Ｉを２５５より小さい値としてもよい。さらに、閾値はユーザによって設定されても良い。
【００７３】
フィルタ処理部４０５は、フィルタ強度信号Ｉに基づいて、上述のフィルタ処理により得られる暫定フィルタ処理後の画像信号Ｆ０と背面パネル信号Ｓｂとを加重平均して、フィルタ処理後の画像信号Ｆを出力する機能部である。本実施形態に係るフィルタ処理後の画像信号Ｆは、以下の式（７）を用いて求められる。
【数７】
2019148777.tif 000009
これにより、フィルタ強度信号Ｉが大きいほどフィルタ処理を強く施したいため、暫定フィルタ処理後の画像信号Ｆ０の割合が大きくなるようにする。なお、暫定フィルタ処理後の画像信号Ｆ０を用いずに、フィルタ強度信号Ｉに基づいて調整されるフィルタ係数ｆＬＰＦと背面パネル信号Ｓｂとを用いてフィルタ処理後の画像信号Ｆを求めてもよい。
【００７４】
以上のように、ピーキング成分信号の線幅情報Ｌに基づいて、フィルタ処理を制御することで、好適に合成成分の解像度低下を防止しながら、２重像弊害による画像の表示品質低下を抑制することが可能となる。
【００７５】
［実施形態４の変形例］
上述の実施形態では、フィルタ強度決定部４１０は、ピーキング成分の線幅情報Ｌに基づいてフィルタ強度を決定したが、ピーキング処理のフィルタ係数ｆＨＰＦから求まる周波数特性に基づいてフィルタ強度を決定しても良い。
【００７６】
図１２は、本変形例に係る表示装置５の機能ブロック図を示す。本変形例に係る表示装置５の表示制御装置５００は、実施形態４のフィルタ強度決定部４１０および線幅検出部４１１に代わり、フィルタ強度決定部５１０および周波数特性解析部５１１を備える。
【００７７】
周波数特性解析部５１１は、ピーキング処理のフィルタ係数ｆＨＰＦから周波数特性解析を行い、周波数特性信号ωを出力する機能部である。具体的には、周波数特性解析部５１１は、フィルタ係数ｆＨＰＦからインパルス応答を算出し、このインパルス応答をフーリエ変換することで周波数特性信号ωを抽出することができる。ここで、本実施形態では、周波数特性信号ωは０〜２５５の値を取るものとし、０は高周波特性、２５５は低周波特性を表す。
【００７８】
フィルタ強度決定部５１０は、周波数特性信号ω、閾値Ａおよび閾値Ｂを取得して、フィルタ強度信号Ｉを生成し、フィルタ処理部４０５へ出力する機能部である。
【００７９】
図１３は、本変形例に係るフィルタ強度の決定方法を示す。横軸は周波数特性信号ω（０〜２５５）を示し、縦軸はフィルタ強度Ｉ（０〜１）を示す。
【００８０】
フィルタ強度決定部５１０は、上述の実施形態と同様に閾値Ａから閾値Ｂの間にある場合は、周波数特性信号ωが大きい（低周波）ほど、フィルタ強度信号Ｉを大きくする。これは、周波数特性信号ωの値が大きいほど、着色画素が多くなり、フィルタ処理による画像合成成分の解像度低下は視認しづらいと考えられるためである。
【００８１】
以上、周波数特性信号ωを生成することで、成就の実施形態４に係る線幅情報Ｌに基づく制御と同様な効果が得られる。
【００８２】
［その他］
上述の実施形態では、表示装置の内部に表示制御装置が含まれる例について説明したが、表示装置とは別体として設けられる表示制御装置のみで上述の処理を実施してもよい。
【００８３】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８４】
１０：バックライト
１１：背面液晶パネル
１２：前面液晶パネル
１０３：分配部
１０４：合成部
１０５：フィルタ処理部
１０６：ピーキング処理部
１０７：制御部
【図１】
2019148777.tif 000010
【図２】
2019148777.tif 000011
【図３】
2019148777.tif 000012
【図４】
2019148777.tif 000013
【図５】
2019148777.tif 000014
【図６】
2019148777.tif 000015
【図７】
2019148777.tif 000016
【図８】
2019148777.tif 000017
【図９】
2019148777.tif 000018
【図１０】
2019148777.tif 000019
【図１１】
2019148777.tif 000020
【図１２】
2019148777.tif 000021
【図１３】
2019148777.tif 000022
【図１４】
2019148777.tif 000023